(57)【要約】【課題】一対の保護壁を有するハウジングに装着されたスライドホルダが仮係止位置にあるか否かをハウジングの幅方向から容易に目視可能なコネクタを提供すること。【解決手段】コネクタ１は、相手側ハウジングとの完全嵌合状態を維持するロック部１８を備えたハウジング２と、仮係止位置と本係止位置との間でハウジング２と相手側ハウジングとの嵌合方向に移動可能にハウジング２に装着されると共に、完全嵌合状態においてのみロック部１８との干渉が回避されて仮係止位置から本係止位置まで移動可能なスライドホルダ３と、を備える。ハウジング２は、ロック部１８及びスライドホルダ３を幅方向に挟むように嵌合方向に延びる一対の保護壁１４を有する。保護壁１４は、幅方向からみたときに、スライドホルダ３が仮係止位置にあるときにはスライドホルダ３の一部が目視可能となり、スライドホルダ３が本係止位置にあるときにはスライドホルダ３の前記一部が目視不能となる切欠き２１を有する。【選択図】図８
2020038765.tif 000002
【特許請求の範囲】
【請求項１】
相手側ハウジングとの完全嵌合状態を維持するロック部を備えたハウジングと、
仮係止位置と本係止位置との間で前記ハウジングと前記相手側ハウジングとの嵌合方向に移動可能に前記ハウジングに装着されるスライドホルダであって、前記完全嵌合状態においてのみ前記ロック部との干渉が回避されて前記仮係止位置から本係止位置まで移動可能なスライドホルダと、
を備えたコネクタであって、
前記ハウジングは、前記ロック部及び前記スライドホルダを前記嵌合方向に直交する幅方向に挟むように前記嵌合方向に延びる一対の保護壁を有し、
前記保護壁は、前記幅方向からみたときに、前記スライドホルダが前記仮係止位置にあるときには前記スライドホルダの一部が目視可能となり、前記スライドホルダが前記本係止位置にあるときには前記スライドホルダの前記一部が目視不能となる切欠きを有する、コネクタ。
【請求項２】
請求項１に記載のコネクタにおいて、
前記ハウジング及び前記スライドホルダは、前記スライドホルダを前記仮係止位置に係止するための係止構造を有し、
前記スライドホルダ及び前記一対の保護壁は、前記スライドホルダの前記ハウジングに対する移動を案内する案内構造を有し、
前記案内構造は、前記案内構造を利用して前記スライドホルダを前記ハウジングに装着する際に、前記係止構造の干渉が回避される方向に前記スライドホルダを前記ハウジングに対して傾斜可能とするための逃がし部を有する、コネクタ。
【発明の詳細な説明】
【技術分野】
【０００１】
本発明は、コネクタに関する。
【背景技術】
【０００２】
従来から、相手側ハウジングとの完全嵌合状態を維持するロック部を備えたハウジングを備えたコネクタにおいて、ハウジングと相手側ハウジングとの不完全嵌合状態を検知するためのスライドホルダを設けたものが広く知られている（例えば、特許文献１を参照）。
【０００３】
スライドホルダは、仮係止位置と本係止位置との間でハウジングと相手側ハウジングとの嵌合方向に移動可能にハウジングに装着され、完全嵌合状態においてのみロック部との干渉が回避されて仮係止位置から本係止位置まで移動可能に構成される。即ち、不完全嵌合状態では、ロック部との干渉によりスライドホルダが仮係止位置から本係止位置に移動不能となることで、ハウジングと相手側ハウジングとの不完全嵌合状態を容易に検知することができる。
【先行技術文献】
【特許文献】
【０００４】
【特許文献１】特開２００６−８００２５号公報
【発明の概要】
【発明が解決しようとする課題】
【０００５】
通常、スライドホルダを設けたハウジングには、ハウジングのロック部、及び、スライドホルダを保護する等のため、ロック部及びスライドホルダを嵌合方向に直交する幅方向に挟むように嵌合方向に延びる一対の保護壁が設けられている。即ち、一対の保護壁は、ロック部及びスライドホルダを幅方向両側から覆うように設けられている。
【０００６】
ハウジングにスライドホルダが装着されたコネクタは、スライドホルダを仮係止位置に保持した状態で輸送される。しかしながら、輸送中、スライドホルダが周辺部材と接触する等により、仮係止位置から本係止位置に意図せずに移動することがある。このため、輸送中、若しくは、輸送後の次の工程の段階で、スライドホルダが仮係止位置にあることを幅方向から目視したいという要求がある。
【０００７】
しかしながら、ハウジングを幅方向から目視する場合、保護壁の形状によっては、保護壁が邪魔になって、スライドホルダが仮係止位置にあるか否かを目視不能となる場合がある。以上より、一対の保護壁が設けられたハウジングにおいて、スライドホルダが仮係止位置にあるか否かを容易に目視可能とすることが要求されているところである。
【０００８】
本発明は、上述した事情に鑑みてなされたものであり、その目的は、一対の保護壁を有するハウジングに装着されたスライドホルダが仮係止位置にあるか否かをハウジングの幅方向から容易に目視可能なコネクタを提供することにある。
【課題を解決するための手段】
【０００９】
前述した目的を達成するために、本発明に係るコネクタは、下記［１］〜［２］を特徴としている。
［１］
相手側ハウジングとの完全嵌合状態を維持するロック部を備えたハウジングと、
仮係止位置と本係止位置との間で前記ハウジングと前記相手側ハウジングとの嵌合方向に移動可能に前記ハウジングに装着されるスライドホルダであって、前記完全嵌合状態においてのみ前記ロック部との干渉が回避されて前記仮係止位置から本係止位置まで移動可能なスライドホルダと、
を備えたコネクタであって、
前記ハウジングは、前記ロック部及び前記スライドホルダを前記嵌合方向に直交する幅方向に挟むように前記嵌合方向に延びる一対の保護壁を有し、
前記保護壁は、前記幅方向からみたときに、前記スライドホルダが前記仮係止位置にあるときには前記スライドホルダの一部が目視可能となり、前記スライドホルダが前記本係止位置にあるときには前記スライドホルダの前記一部が目視不能となる切欠きを有する、コネクタであること。
［２］
上記［１］に記載のコネクタにおいて、
前記ハウジング及び前記スライドホルダは、前記スライドホルダを前記仮係止位置に係止するための係止構造を有し、
前記スライドホルダ及び前記一対の保護壁は、前記スライドホルダの前記ハウジングに対する移動を案内する案内構造を有し、
前記案内構造は、前記案内構造を利用して前記スライドホルダを前記ハウジングに装着する際に、前記係止構造の干渉が回避される方向に前記スライドホルダを前記ハウジングに対して傾斜可能とするための逃がし部を有する、コネクタであること。
【００１０】
上記［１］の構成のコネクタによれば、幅方向からみたときに、スライドホルダが仮係止位置にあるときにはスライドホルダの一部が目視可能となり、スライドホルダが本係止位置にあるときにはスライドホルダのその一部（同じ部分）が目視不能となる切欠きが、保護壁に設けられている。この結果、一対の保護壁を有するハウジングに装着されているスライドホルダが仮係止位置にあるか否かをハウジングの幅方向から容易に目視可能となる。
【００１１】
上記［２］の構成のコネクタによれば、スライドホルダ及び一対の保護壁により構成される案内構造に逃がし部が設けられている。この結果、ハウジング及びスライドホルダにより構成される係止構造の干渉が回避されるようにスライドホルダをハウジングに対して傾斜させた状態で、係止構造の干渉なしで、案内構造を利用してスライドホルダをハウジングにスムーズに装着して仮係止位置に係止させることができる。この結果、係止構造の係り代を大きくすることができ、スライドホルダを仮係止位置により一層確実に係止させることができる。
【発明の効果】
【００１２】
本発明によれば、一対の保護壁を有するハウジングに装着されたスライドホルダが仮係止位置にあるか否かをハウジングの幅方向から容易に目視可能なコネクタを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明の実施形態に係るコネクタの分解斜視図である。
【図２】図２（ａ）は、図１に示すハウジングの上面図であり、図２（ｂ）は、ハウジングの背面図である。
【図３】図３は、図２（ｂ）の３−３線の断面図である。
【図４】図４は、図３の符号４で示した枠内を拡大した図である。
【図５】図５（ａ）は、図１に示すスライドホルダの上面図であり、図５（ｂ）は、スライドホルダの正面図である。
【図６】図６（ａ）は、スライドホルダの側面図であり、図６（ｂ）は、図６（ａ）の符号６（ｂ）で示した枠内を拡大した図である。
【図７】図７（ａ）及び図７（ｂ）は、スライドホルダが仮係止位置にある状態における図２（ａ）及び図２（ｂ）に対応する図である。
【図８】図８（ａ）は、図７（ｂ）の８（ａ）−８（ａ）線の断面図であり、図８（ｂ）は、スライドホルダが仮係止位置にある状態におけるハウジングの側面図である。
【図９】図９は、図８（ｂ）の符号９で示した枠内を拡大した図である。
【図１０】図１０（ａ）及び図１０（ｂ）は、スライドホルダが本係止位置にある状態における図２（ａ）及び図２（ｂ）に対応する図である。
【図１１】図１１（ａ）は、図１０（ｂ）の１１（ａ）−１１（ａ）線の断面図であり、図１１（ｂ）は、スライドホルダが本係止位置にある状態におけるハウジングの側面図である。
【図１２】図１２は、図１１（ｂ）の符号１２で示した枠内を拡大した図である。
【図１３】図１３は、図１に示すフロントホルダの正面図である。
【図１４】図１４は、図１３の１４−１４線の断面図である。
【図１５】図１５は、図１３の１５−１５線の断面図である。
【図１６】図１６は、図１５の符号１６で示した枠内を拡大した図である。
【図１７】図１７は、フロントホルダが仮係止位置にある状態におけるハウジングの正面図である。
【図１８】図１８は、図１７の１８−１８線の断面図である。
【図１９】図１９は、図１８の符号１９で示した枠内を拡大した図である。
【図２０】図２０は、ハウジングの突起支持部における突起を含む先端部分の側面図である。
【図２１】図２１は、フロントホルダが本係止位置にある状態における図１８に対応する図である。
【図２２】図２２は、図２１の符号２２で示した枠内を拡大した図である。
【発明を実施するための形態】
【００１５】
＜実施形態＞
以下、図面を参照しながら、本発明の実施形態に係るコネクタ１について説明する。以下、説明の便宜上、以下、説明の便宜上、図１に示すように、「前後方向」、「幅方向」、「上下方向」、「前」、「後」、「上」及び「下」を定義する。「前後方向」、「幅方向」及び「上下方向」は、互いに直交している。前後方向は、コネクタ１と相手側コネクタ（図示省略）との嵌合方向と一致しており、相手側コネクタが嵌合する嵌合方向正面側（図１において左側）が前側とされ、その反対の嵌合方向背面側（図１において右側）が後側とされている。
【００１６】
図１に示すように、コネクタ１は、ハウジング２と、ハウジング２の上部に装着されるスライドホルダ３と、ハウジング２に前側から装着されるパッキン４、及び、ハウジング２に前側から装着されるフロントホルダ５、とを含んで構成される。以下、先ず、ハウジング２におけるスライドホルダ３の装着に係る部分の構成、及び、スライドホルダ３の構成について説明する。
【００１７】
＜ハウジング２におけるスライドホルダ３の装着に係る部分、及び、スライドホルダ３＞
先ず、ハウジング２におけるスライドホルダ３の装着に係る部分について説明する。図１〜図３に示すように、樹脂製のハウジング２は、略角筒状の外筒部１１を備える。外筒部１１の内部には、前側に開口する環状隙間が形成されるように、端子収容部１２が一体で設けられている。この環状隙間は、フロントホルダ５の装着時にフロントホルダ５の枠体部５１（後述）が挿入される空間として機能する。
【００１８】
外筒部１１を構成する上壁の前方側部分における幅方向中央部は、上方に膨出している。この膨出部分の下方には、相手側ハウジングの相手側ロック部（図示省略）が挿入される相手側ロック部挿入空間１３が、上記環状隙間と連通するように形成されている。
【００１９】
外筒部１１を構成する上壁の後方側部分には、一対の保護壁１４が、上記膨出部分の幅方向両端部から後方に延びるように、且つ、幅方向に対向するように一体で設けられている。一対の保護壁１４で挟まれた空間は、スライドホルダ３を装着するためのスライドホルダ装着空間１５として機能する。スライドホルダ装着空間１５は、相手側ロック部挿入空間１３と前後方向に連通している（図３参照）。スライドホルダ３は、後方側からスライドホルダ装着空間１５に挿入され装着されるようになっている。
【００２０】
図３に示すように、各保護壁１４の幅方向内側面には、スライドホルダ３を案内するための幅方向外側に窪んだガイド溝１６が、前後方向に延びるように形成されている。ガイド溝１６の後端部（即ち、スライドホルダ３が挿入される側の端部）には、ガイド溝１６の上側内壁が後方且つ上方に向けて傾斜するテーパ部１７が形成されている（図４も参照）。テーパ部１７の作用については後述する。
【００２１】
図８（ａ）（図２も参照）に示すように、外筒部１１を構成する上壁の後方側部分には、ロック部１８が一体で設けられている。ロック部１８は、相手側ハウジングの相手側ロック部との係合により、ハウジング２と相手側ハウジングとの完全嵌合状態を維持する機能を有する。
【００２２】
ロック部１８は、外筒部１１の上壁の後方側部分における一対の保護壁１４の間の後端部から相手側ロック部挿入空間１３に向けて前方に延びる一対のロックアーム１９と、一対のロックアーム１９の先端部を幅方向に連結する連結部２０とで構成されている。この連結部２０に相手側ロック部が係合することで、ハウジング２と相手側ハウジングとの完全嵌合状態が維持される。
【００２３】
図８（ｂ）（図１及び図９も参照）に示すように、各保護壁１４の後端面には、前方に窪んだ切欠き２１が形成されている。切欠き２１の作用については後述する。
【００２４】
図８（ａ）（図２も参照）に示すように、外筒部１１の上壁の後方側部分の後端部における幅方向中央部（一対のロックアーム１９の根元部の間）には、上方に突出する突起２２が形成されている。突起２２は、スライドホルダ３を仮係止位置に保持する機能を有する。
【００２５】
次に、スライドホルダ３について説明する。図１、図５及び図６に示すように、樹脂製のスライドホルダ３は、矩形平板状の本体部３１と、本体部３１の後端部の幅方向中央部から下方且つ前方に延びる検知アーム３２と、本体部３１の幅方向両側縁から下方に延びる一対の側板部３３と、を一体に備える。
【００２６】
検知アーム３２の先端部には、ロック部１８の連結部２０と係合する係合部３４（図８（ａ）も参照）が形成されている。検知アーム３２の根元部の下面には、下方に突出する突起３５が形成されている（図５（ｂ）も参照）。ハウジング２の突起２２とスライドホルダ３の突起３５が係合することで、スライドホルダ３が仮係止位置に保持されるようになっている（図８（ａ）参照）。
【００２７】
各側板部３３の幅方向外側面の下端縁部には、幅方向外側に突出するガイドリブ３６が、前後方向に延びるように形成されている。ガイドリブ３６の前端部（即ち、スライドホルダ３の挿入側の端部）には、ガイドリブ３６の上側内壁が前方且つ下方に向けて傾斜するテーパ部３７が形成されている（図６（ｂ）も参照）。テーパ部３７の作用については後述する。
【００２８】
以上、説明したスライドホルダ３をハウジング２に装着する際には、スライドホルダ３を後方側からハウジング２のスライドホルダ装着空間１５に近づける。そして、図８（ａａ）に示すように、一対のガイドリブ３６が一対のガイド溝１６に挿入されるように、且つ、突起３５が突起２２を乗り越えて突起２２の前側に位置するように、スライドホルダ３をハウジング２に装着する。これにより、図８（ａ）に示すように、スライドホルダ３が仮係止位置に保持される。
【００２９】
このとき、ガイド溝１６にテーパ部１７が形成され、且つ、ガイドリブ３６にテーパ部３７が形成されていることで、テーパ部１７，３７が形成されていない場合と比べて、スライドホルダ３をハウジング２に対して後側が前側より上方に傾斜した状態で、突起３５と突起２２とを干渉させることなく、スライドホルダ３をハウジング２にスムーズに装着して仮係止位置に係止させることができる。
【００３０】
図８（ａ）に示すように、スライドホルダ３の仮係止位置では、スライドホルダ３の検知アーム３２の先端に位置する係合部３４が、ハウジング２のロック部１８の連結部２０に係合している。この結果、スライドホルダ３は、仮係止位置から、仮係止位置より前方の本係止位置（図１１参照）に移動できない。
【００３１】
この状態にて、相手側ハウジングがハウジング２に嵌合されて完全嵌合状態になると、連結部２０に相手側ロック部が係合することで、ハウジング２と相手側ハウジングとの完全嵌合状態が維持されると共に、相手側ロック部が係合部３４を下方に押すことで、係合部３４と連結部２０との係合が解除される。即ち、スライドホルダ３が仮係止位置から本係止位置へ移動可能となる。
【００３２】
従って、完全嵌合状態では、仮係止位置にあるスライドホルダ３を前方へ押すことで、図１１に示すように、スライドホルダ３が本係止位置に移動する。一方、不完全嵌合状態では、相手側ロック部が係合部３４を下方に押さず、係合部３４と連結部２０との係合が解除されないため、スライドホルダ３は、仮係止位置から本係止位置に移動できない。このように、スライドホルダ３が仮係止位置から本係止位置に移動不能であることで、ハウジング２と相手側ハウジングとの不完全嵌合状態を容易に検知することができる。
【００３３】
以下、一対の保護壁１４に設けた一対の切欠き２１の作用について説明する。図８（ｂ）及び図９に示すように、スライドホルダ３が仮係止位置にある状態では、ハウジング２を幅方向からみたとき、スライドホルダ３の側板部３３の一部が切欠き２１を介して視認可能となっている。一方、スライドホルダ３が本係止位置にある状態では、図１１（ｂ）及び図１２に示すように、ハウジング２を幅方向からみたとき、スライドホルダ３の側板部３３の前記一部（同じ部分）が切欠き２１を介して視認不能となる。
【００３４】
この結果、ハウジング２の切欠き２１を幅方向からみることで、一対の保護壁１４を有するハウジング２に装着されているスライドホルダ３が仮係止位置にあるか否かを容易に目視可能となる。以上、ハウジング２におけるスライドホルダ３の装着に係る部分の構成、及び、スライドホルダ３の構成について説明した。次に、ハウジング２におけるフロントホルダ５の装着に係る部分の構成、及び、フロントホルダ５の構成について説明する。
【００３５】
＜ハウジング２におけるフロントホルダ５の装着に係る部分、及び、フロントホルダ５＞
先ず、ハウジング２におけるフロントホルダ５の装着に係る部分について説明する。図１７及び図１８に示すように、ハウジング２の端子収容部１２には、端子（図示省略）を収容するための端子収容室２３が前後方向に延びるように形成されている。本例では、２つの端子収容室２３が幅方向に並ぶように設けられている。
【００３６】
各端子収容室２３には、端子収容室２３内に幅方向内側から臨むように、幅方向に弾性変形可能な片持ち梁状のランス２４が、端子収容室２３の前後方向略中央位置から前方へ延びるように設けられている。ランス２４の先端には、端子収容室２３内に向けて延びるランス突起２５が一体で形成されている。後方側から端子収容室２３に挿入された端子の所定の角部をランス突起２５に係止することで、ランス２４は、端子の後方側への抜け止め機能を発揮する。
【００３７】
端子収容室２３内にて、端子が正規挿入位置（ランス２４が抜け止め機能を発揮した状態）にあるときには、ランス突起２５が端子の角部に入り込むことで、ランス２４は弾性変形していない正規の姿勢（図１８に示す姿勢）に維持される。一方、端子が中途挿入位置（ランス２４が抜け止め機能を発揮していない状態）にあるときには、ランス突起２５が端子の角部に入り込むことができないことに起因して、ランス２４が幅方向内側（端子から離れる側）に弾性変形した姿勢に維持される。
【００３８】
各端子収容室２３に設けられたランス２４の幅方向内側領域（端子収容室２３から離れる側の領域）には、ランス２４との間に幅方向の隙間を空けて、幅方向に弾性変形可能な片持ち梁状の突起支持部２６が、ランス２４の基部の近傍位置から前方へ延びるように設けられている。突起支持部２６の先端の幅方向内側の側面には、幅方向内側に突出すると共に上下方向に延びる突起２７（図１及び図２０も参照）が設けられている。突起支持部２６の突起２７は、フロントホルダ５を仮係止位置及び本係止位置に係止する機能を有する（後述）。
【００３９】
次に、フロントホルダ５について説明する。図１３〜図１５に示すように、樹脂製のフロントホルダ５は、角筒状の枠体部５１を備える。枠体部５１の内部には、機能部５２が一体で設けられている。
【００４０】
図１４に示すように、機能部５２は、基部５３と、基部５３の幅方向両端部から前方に延びる一対の係止アーム５４と、一対の係止アーム５４の先端部から幅方向外側に延びる一対の延在部５５と、一対の延在部５５の幅方向外側端部から後方に向けて延びる一対の検知アーム５６と、を一体に含む。一対の延在部５５が枠体部５１と一体であることで、機能部５２全体が枠体部５１と一体になっている。係止アーム５４と検知アーム５６との間には幅方向の隙間５７が存在している。
【００４１】
以下、説明の便宜上、図１４において、機能部５２の左側部分の構成についてのみ説明するが、機能部５２の右側部分の構成についても同様である。
【００４２】
前後方向に延びる係止アーム５４は、根元部（後端側）が基部５３に、先端部（前端側）が延在部５５にそれぞれ支持された、幅方向に弾性変形可能な両持ち梁状の形状を有している。係止アーム５４の幅方向外側面には、仮係止突起５８及び本係止突起５９が設けられている（図１９及び図２２も参照）。
【００４３】
仮係止突起５８は、係止アーム５４の根元部に設けられ、本係止突起５９は、仮係止突起５８より前方側の位置に設けられている。なお、製造の都合上、仮係止突起５８及び本係止突起５９は、互いに上下方向の異なる位置に配置されている。
【００４４】
図１３〜図１５に示すように、基部５３における一対の係止アーム５４の根元部の間の前端面には、後方に窪んだ凹部６０が複数形成されている（図１６も参照）。このように凹部６０が形成されたことで、前後方向における基部５３の厚みを大きくして係止アーム５４の長さを短くしても、基部５３の前後方向の厚みを大きくしたことに起因する成型時のひけやボイドの発生を効果的に抑制できる。
【００４５】
複数の凹部６０のうちの一つは、係止アーム５４の根元部における仮係止突起５８が形成された側と反対側の側面に面する位置に形成されている。この結果、仮係止突起５８が形成された箇所の係止アーム５４における、仮係止突起５８の突出方向（即ち、幅方向）の肉厚が小さくなる。この結果、仮係止突起５８の係止アーム５４からの突出高さが小さくなるように仮係止突起５８周辺の係止アーム５４が弾性変形し易くなる。
【００４６】
以上、説明したフロントホルダ５をハウジング２に装着する際には、先ず、角筒状のゴム製のパッキン４（図１参照）を前方側から、ハウジング２の外筒部１１と端子収容部１２との間の環状隙間に挿入して、端子収容部１２の外周の所定位置に固定する（図１８参照）。パッキン４の外周面には複数（本例では、３つ）の環状リップ部４１が形成されている。環状リップ部４１は、相手側ハウジングがハウジング２に嵌合された際に、相手側ハウジングとハウジング２とを水密的にシールする機能を果たす。
【００４７】
次に、フロントホルダ５を前方側から、前記環状隙間に挿入する。このとき、図１８に示すように、ハウジング２の突起支持部２６がフロントホルダ５の隙間５７に挿入される。フロントホルダ５の前記環状隙間への挿入が進行すると、フロントホルダ５の仮係止突起５８が突起支持部２６の突起２７に接触する。
【００４８】
仮係止突起５８が突起２７に接触した後は、挿入の進行に伴い、係止アーム５４及び突起支持部２６が互いに離れる方向（幅方向）に弾性変形することで、仮係止突起５８が突起２７に乗り上げる。ここで、上述したように、突起支持部２６が仮係止突起５８から離間する方向（幅方向）に弾性変形すること、並びに、仮係止突起５８の係止アーム５４からの突出高さが小さくなるように仮係止突起５８周辺の係止アーム５４が弾性変形し易くなっていることに起因して、仮係止突起５８が突起２７を乗り越える際の互いの接触部分の潰れを効果的に抑制できる。
【００４９】
その後、挿入の進行に伴い、仮係止突起５８が突起２７を乗り越えることで係止アーム５４及び突起支持部２６が互いに弾性復帰する。これにより、図１８及び図１９に示すように、仮係止突起５８が突起２７より後側に位置し且つ本係止突起５９が突起２７より前側に位置する状態で、仮係止突起５８及び本係止突起５９と、突起２７とが係合することで、フロントホルダ５が仮係止位置に保持される。
【００５０】
この状態にて、端子が端子収容室２３に正規挿入位置まで挿入されると、上述したように、ランス２４が正規の姿勢（図１８に示す姿勢）に維持される。このため、フロントホルダ５の検知アーム５６の先端部が、ランス２４と突起支持部２６との間の隙間に進入可能な状態が得られる。従って、端子が正規挿入位置にある状態では、仮係止位置にあるフロントホルダ５を後方へ押すと、図２１に示すように、検知アーム５６の先端部がランス２４と突起支持部２６との間の隙間に進入することで、フロントホルダ５が本係止位置に移動する。その際、本係止突起５９が突起２７を乗り越えて、本係止突起５９が突起２７より後側に位置した状態で、本係止突起５９と突起２７とが係合することで、フロントホルダ５が本係止位置に保持される。
【００５１】
一方、端子が中途挿入位置にある状態では、上述したように、ランス２４が幅方向内側（端子から離れる側）に弾性変形した姿勢に維持される。このため、ランス２４と突起支持部２６との間の隙間が狭まることで、検知アーム５６の先端部がランス２４と突起支持部２６との間の隙間に進入不能な状態となる。この結果、フロントホルダ５は、仮係止位置から本係止位置に移動できない。このように、フロントホルダ５が仮係止位置から本係止位置に移動不能であることで、端子の中途挿入を容易に検知することができる。
【００５２】
＜作用・効果＞
以上、本発明の実施形態に係るコネクタ１によれば、幅方向からみたときに、スライドホルダ３が仮係止位置にあるときにはスライドホルダ３の一部が目視可能となり、スライドホルダ３が本係止位置にあるときにはスライドホルダ３のその一部（同じ部分）が目視不能となる切欠き２１が、一対の保護壁１４それぞれに設けられている。この結果、一対の保護壁１４を有するハウジング２に装着されているスライドホルダ３が仮係止位置にあるか否かをハウジング２の幅方向から容易に目視可能となる。
【００５３】
更に、コネクタ１によれば、スライドホルダ３のガイドリブ３６及び保護壁１４のガイド溝１６により構成される案内構造に、テーパ部１７，３７で構成される逃がし部が設けられている。この結果、ハウジング２の突起２２及びスライドホルダ３の突起３５により構成される係止構造の干渉が回避されるようにスライドホルダ３をハウジング２に対して傾斜させた状態で、係止構造の干渉なしで、案内構造を利用してスライドホルダ３をハウジング２にスムーズに装着して仮係止位置に係止させることができる。この結果、係止構造（突起２２及び突起３５）の係り代を大きくすることができ、スライドホルダ３を仮係止位置により一層確実に係止させることができる。
【００５４】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
上記実施形態では、切欠き２１が、各保護壁１４の後端面にて前方に窪むように設けられている。これに対し、スライドホルダ３が仮係止位置にあるときにはスライドホルダ３の一部が目視可能となり、スライドホルダ３が本係止位置にあるときにはスライドホルダ３の前記一部が目視不能となるような切欠きである限りにおいて、切欠きを保護壁１４の任意の位置に設けることができる。
【００５６】
更に、上記実施形態では、スライドホルダ３のガイドリブ３６及び保護壁１４のガイド溝１６により構成される案内構造に、テーパ部１７，３７で構成される逃がし部が設けられているが、このような逃がし部がなくてもよい。更に、案内構造は、スライドホルダ３のガイド溝及び保護壁１４のガイドリブにより構成されてもよい。
【００５７】
ここで、上述した本発明に係るコネクタ１の実施形態の特徴をそれぞれ以下［１］〜［２］に簡潔に纏めて列記する。
［１］
相手側ハウジングとの完全嵌合状態を維持するロック部（１８）を備えたハウジング（２）と、
仮係止位置と本係止位置との間で前記ハウジング（２）と前記相手側ハウジングとの嵌合方向に移動可能に前記ハウジング（２）に装着されるスライドホルダ（３）であって、前記完全嵌合状態においてのみ前記ロック部（１８）との干渉が回避されて前記仮係止位置から本係止位置まで移動可能なスライドホルダ（３）と、
を備えたコネクタ（１）であって、
前記ハウジング（２）は、前記ロック部（１８）及び前記スライドホルダ（３）を前記嵌合方向に直交する幅方向に挟むように前記嵌合方向に延びる一対の保護壁（１４）を有し、
前記保護壁（１４）は、前記幅方向からみたときに、前記スライドホルダ（３）が前記仮係止位置にあるときには前記スライドホルダ（３）の一部が目視可能となり、前記スライドホルダ（３）が前記本係止位置にあるときには前記スライドホルダ（３）の前記一部が目視不能となる切欠き（２１）を有する、コネクタ（１）。
［２］
上記［１］に記載のコネクタ（１）において、
前記ハウジング（２）及び前記スライドホルダ（３）は、前記スライドホルダ（３）を前記仮係止位置に係止するための係止構造（２２，３５）を有し、
前記スライドホルダ（３）及び前記一対の保護壁（１４）は、前記スライドホルダ（３）の前記ハウジング（２）に対する移動を案内する案内構造（１６，３６）を有し、
前記案内構造（１６，３６）は、前記案内構造（１６，３６）を利用して前記スライドホルダ（３）を前記ハウジング（２）に装着する際に、前記係止構造（２２，３５）の干渉が回避される方向に前記スライドホルダ（３）を前記ハウジング（２）に対して傾斜可能とするための逃がし部（１７，３７）を有する、コネクタ（１）。
【符号の説明】
【００５８】
１      コネクタ
２      ハウジング
３      スライドホルダ
１４    保護壁
１６    ガイド溝（案内構造）
１７    テーパ部（逃がし部）
１８    ロック部
２１    切欠き
２２    突起（係止構造）
３５    突起（係止構造）
３６    ガイドリブ（案内構造）
３７    テーパ部（逃がし部）
【図１】
2020038765.tif 000003
【図２】
2020038765.tif 000004
【図３】
2020038765.tif 000005
【図４】
2020038765.tif 000006
【図５】
2020038765.tif 000007
【図６】
2020038765.tif 000008
【図７】
2020038765.tif 000009
【図８】
2020038765.tif 000010
【図９】
2020038765.tif 000011
【図１０】
2020038765.tif 000012
【図１１】
2020038765.tif 000013
【図１２】
2020038765.tif 000014
【図１３】
2020038765.tif 000015
【図１４】
2020038765.tif 000016
【図１５】
2020038765.tif 000017
【図１６】
2020038765.tif 000018
【図１７】
2020038765.tif 000019
【図１８】
2020038765.tif 000020
【図１９】
2020038765.tif 000021
【図２０】
2020038765.tif 000022
【図２１】
2020038765.tif 000023
【図２２】
2020038765.tif 000024